(57)【要約】【課題】  スライド機構を有する携帯電話端末に係り、停止状態を複数設け、アプリケーション機能の起動等の操作性を向上させることを課題とする。【解決手段】  携帯電話端末は、大画面側筐体とキー側筐体をスライドさせ、複数の停止位置での停止状態を保持することができるスライド機構を備え、停止位置検知部１０によりいずれの停止位置で停止しているかを検知すると、制御部１２は停止位置に従って、演算装置により動作させるアプリケーション機能を切換えるように制御する。あるいは、停止位置に従って、キー設定や画面表示を切換えるように制御する。【選択図】        図７
2005341126.tif 000002
【特許請求の範囲】
【請求項１】
スピーカを配置した耳側筐体部分と、レシーバを配置した口側筐体部分とのスライド移動をガイドし、複数の停止位置での停止状態を保持することができるスライド機構を備えた携帯電話端末であって、
いずれの停止位置で停止しているかを検知する停止位置検知部と、
検知した停止位置に応じて、携帯電話端末の動作を制御する制御部とを有することを特徴とする携帯電話端末。
【請求項２】
制御部は、停止位置に応じて、ボタン設定及び画面表示を切換えることを特徴とする請求項１記載の携帯電話端末。
【請求項３】
制御部は、停止位置に応じて、演算装置により動作させるアプリケーション機能を切換えることを特徴とする請求項１記載の携帯電話端末。
【請求項４】
携帯電話端末は、更に、タイマーを設定するタイマー設定部を有し、
制御部は、停止位置検知部が停止位置を検知してから、タイマーにより所定時間経過した後に、前記アプリケーション機能を起動させることを特徴とする請求項３記載の携帯電話端末。
【請求項５】
カメラを内蔵する携帯電話端末であって、
カメラのレンズを備えた筐体の面、あるいは当該レンズを備えた筐体の面と平行な別な面に、鏡または液晶ディスプレイを有することを特徴とする携帯電話端末。
【請求項６】
カメラを内蔵する携帯電話端末であって、
操作者自身を撮影する自分撮り機能を起動した場合には、メインの液晶ディスプレイへの電力供給を停止し、あるいは低消費電力モードに切り替えることを特徴とする請求項５に記載の携帯電話端末。
【請求項７】
スピーカを配置した耳側筐体部分と、レシーバを配置した口側筐体部分とのスライド移動をガイドするスライド機構を備えた携帯電話端末であって、
耳側筐体部分と口側筐体部分の合わせ面が最大の状態で、合わせ面の中となり、
耳側筐体部分と口側筐体部分の合わせ面が最小の状態で、合わせ面の外となる筐体の位置に、カメラのレンズを配置するように、カメラを内蔵することを特徴とする携帯電話端末。
【発明の詳細な説明】
【技術分野】
【０００１】
本発明は、スライド機構を有する携帯電話端末に係り、停止状態を複数設け、アプリケーション機能の起動等の操作性を向上させる携帯電話端末に関する。
【背景技術】
【０００２】
図１５に、スライド構造を有する従来の携帯電話を示す。図中の１は液晶側の筐体であり、大画面液晶３、キーボタン４を有する。２はキー側の筐体であり、テンキー５を有する。
【０００３】
図１６に、従来のスライド構造の状態遷移を示す。従来の構造では、スライド部の移動により、開いた状態、閉じた状態という２つの状態のみ変形可能であり、その間に明確な止まり位置が存在していなかった。
【０００４】
また、この途中の段階であることを検知するものが存在せず、カメラ動作等のある特定の機能を実現するためには、筐体を開いた後に、カメラ起動のために特定のボタン操作を実施する必要があり、ユーザーの使い勝手が悪かった。
【０００５】
特開２００１−１１９４６７号公報では、スライド構造を持つ携帯電話にて、開閉の２つの状態をもち、種々の機能を記憶しておき、開閉の検知または特定のボタン操作をすることにより、記憶していた機能を動作させることが可能である。
【０００６】
この従来例の問題点として、状態の検出をスライド構造が２種類の場合に限定していること、スライド開閉操作を誤った時に、無駄な電力が消費されることが挙げられる。
【特許文献１】特開２００１−１１９４６７号公報
【発明の開示】
【発明が解決しようとする課題】
【０００７】
本発明は、上記した従来技術の欠点を除くためになされたものであって、その目的とするところは、スライド機構を有する携帯電話端末に係り、停止状態を複数設け、アプリケーション機能の起動等の操作性を向上させることを目的とする。
【課題を解決するための手段】
【０００８】
本発明に係る携帯電話端末は、
スピーカを配置した耳側筐体部分と、レシーバを配置した口側筐体部分とのスライド移動をガイドし、複数の停止位置での停止状態を保持することができるスライド機構を備えた携帯電話端末であって、
いずれの停止位置で停止しているかを検知する停止位置検知部と、
検知した停止位置に従って、携帯電話端末の動作を制御する制御部とを有することを特徴とする。
【発明の効果】
【０００９】
本発明においては、スライド機構の停止状態を複数設け、アプリケーション機能の起動等の操作性を向上させることができる。
【発明を実施するための最良の形態】
【００１０】
実施の形態１．
以下本発明を図面に示す実施例に基づいて説明する。まず、本発明の構成について説明する。図１に、停止状態の遷移する様子を示す。図中の１は液晶側の筐体であり、大画面液晶３、キーボタン４、スピーカー６を備え、裏面にカメラ８、スライド状態を感知するホール素子もしくはそれに代わるスイッチ９を有する。１はスピーカを配置した耳側筐体部分の例である。
【００１１】
２はキー側の筐体であり、テンキー５、レシーバ７を有する。２はレシーバを配置した口側筐体部分の例である。
【００１２】
携帯電話端末は、筐体１と筐体２とのスライド移動をガイドし、複数の停止位置での停止状態を保持することができるスライド機構を備えている。図１では、上段に表側、下段に裏側を示している。また、状態イは筐体を開いた状態、状態ロは途中段階、状態ニは筐体を閉じもっとも小型とした状態である。状態ホは通常開く方向とは逆側にスライドさせた状態を示す。
【００１３】
図２に、停止位置検知部の構成例を示す。各ホール素子あるいはスイッチで、所定の状態を検出した場合には、検出情報を出力する。判定部１１は、各ホール素子あるいはスイッチからの検出情報に基づいて、停止位置（停止状態）を判定する。
【００１４】
図３に、状態遷移を示す。従来例では、スライド構造の止まり位置として、スライド構造を伸ばしきった状態である筐体を開いた状態と、スライド構造を最も縮めた状態である筐体を閉じた状態の２つが存在していた。本発明では３つ以上の止まり位置を有することを特徴とする。また、筐体に配置されたホール素子により、現在の筐体の状態を感知可能である。また、これにより通常とは逆方向にスライドさせた場合にも特定の機能を実現可能である。
【００１５】
本実施の形態では、停止位置に応じて、ボタン設定及び画面表示を切換える。図４と図５に、本実施の形態に係るモジュール構成を示す。停止位置検知部１０により、いずれの停止位置で停止しているかを検知すると、制御部１２は、検知した停止位置に応じて、画面表示を切換える。画面表示部１３は、これに応じて画面を大画面液晶３に表示させる。同様に、検知した停止位置に応じて、ボタン設定部１４のボタン設定を切換える。ボタン入力部１５に入力があった場合には、切換えられたボタン設定に基づいて動作する。
【００１６】
例えば、図６のように応用される。図６に、停止位置を変化させた場合のＬＣＤ表示およびキー機能の変化を示す。大画面液晶３、キーボタン４、テンキー５および筐体に配置したその他のボタンに関してスライド機能の停止位置ごとに別機能を持たせることが可能である。
【００１７】
これにより、スライド機能の停止位置ごとに同じボタンで別機能を実現することができ、ユーザーの使い勝手が向上する。また、それぞれの設定はユーザーが設定可能である。
【００１８】
本実施の形態によれば、それぞれの止まり位置ごとに最適なボタン操作の実現が可能となる。また、画面の自動切り替えにより、スケジュール、時計、好みの待受画面などに変更が可能となる。
【００１９】
実施の形態２．
本実施の形態では、停止位置に応じて、演算装置により動作させるアプリケーション機能を切換える。
【００２０】
図７に、本実施の形態に係るモジュール構成を示す。停止位置検知部１０により、いずれの停止位置で停止しているかを検知すると、制御部１２は、動作中のアプリケーション機能部１６に対して動作終了を指示し、停止位置に応じて決定されるアプリケーション機能部１６に対して起動を指示する。
【００２１】
本動作の処理フローを図８に示す。ＳＴ８０１にてスライド構造の止まり位置の変化を検出する。ＳＴ８０２ではスライド構造の止まり位置状態の時間を監視しておき、設定時間以上かどうかの判定を実施する。これにより、途中状態時に消費する無駄な電力を抑えることが可能である。ＳＴ８０３にて現在のスライド構造の止まり位置を調べる。ＳＴ８０４にて現在の設定を確認する。ＳＴ８０５にてそれぞれの機能を実現する。尚、各状態において起動する機能は、ユーザが設定可能なように構成されている。
【００２２】
このように、スライド位置を変化させただけで、自動的にカメラ撮影可能な状態とすることが可能である。これによりユーザーの使い勝手が向上する。
【００２３】
図９に、スライドとまり位置を変化させることにより選択可能な機能の具体例を示す。
【００２４】
メール動作に関して、受信／送信メール一覧およびメールの詳細を閲覧時に編集、返信操作または引用記号付きの返信メールを作成等の機能を起動させるために、スライドの止まり位置を変化（ハ：筐体を閉じた状態→イ：筐体を開いた状態またはロ：途中段間）させる。
【００２５】
スケジュール機能に関して、１日表示画面でスケジュールもしくは記念日編集等の機能を起動および、新規スケジュールの登録が可能である。また、週および月表示画面において一日表示モードへの起動が可能である。
【００２６】
通話動作に関して、電話帳閲覧時にスライドの止まり位置を変化（ハ：筐体を閉じた状態→イ：筐体を開いた状態またはロ：途中段間）させることにより発呼機能もしくはメール新規作成が起動する。スライド止まり位置が閉状態の時に着信があった場合にはスライドの止まり位置を変化（ハ：筐体を閉じた状態→イ：筐体を開いた状態またはロ：途中段間）させることにより通話状態となる。また、開状態で通話中にスライドの止まり位置を変化（イ：筐体を開いた状態→ハ：筐体を閉じた状態またはロ：途中段間）させることにより終話もしくは保留状態となる。
【００２７】
メモ帳機能に関して、メモ帳一覧もしくはメモ帳詳細を閲覧時にスライドの止まり位置を変化（ハ：筐体を閉じた状態→イ：筐体を開いた状態またはロ：途中段間）させることにより編集もしくは新規作成の機能が起動する。
【００２８】
カメラ動作に関して、待受け状態にてスライドの止まり位置を変化（ハ：筐体を閉じた状態→イ：筐体を開いた状態またはロ：途中段間）させることによりカメラが起動する。カメラ起動時にスライドの止まり位置を変化（ハ：筐体を閉じた状態→イ：筐体を開いた状態またはロ：途中段間）させることによりカメラが終了する。併せてこの際にカメラ起動音およびカメラ終了音を同時に鳴らすことが可能である。
【００２９】
チャットメールに関して、チャットメール表示作成画面においてスライドの止まり位置を変化（ハ：筐体を閉じた状態→イ：筐体を開いた状態またはロ：途中段間）させることによりＦＥＴ（かな漢字変換ソフト）が起動する。
【００３０】
ボタン操作無効設定に関して、スライド止まり位置を閉状態にした時に、インヒビット状態となる（キー押し無効）となる。
【００３１】
また、タイマー設定部を設けて、アプリケーション機能部１６の起動までのタイマーを設定することが可能である。その場合、制御部１２は停止位置検知部１０が停止位置を検知してから、タイマーにより所定時間経過した後に、アプリケーション機能を起動させる。
【００３２】
途中段階の止まり位置（待受け状態から通話状態、待受け状態から通話状態間のカメラ撮影モード）の機能は、動作させないようにすることも有効である。これにより、無駄な電力を消費しなくなる。尚、割り当てる機能およびタイマーはユーザーが設定可能である。
【００３３】
本実施の形態によれば、それぞれの止まり位置ごとに最適な機能の実現が可能となる。
【００３４】
実施の形態３．
本実施の形態では、筐体を開いた状態で、カメラのレンズが現れるように構成する。
【００３５】
図１０に示すように、筐体同士のあわせ面でかつ、スライド構造を伸ばした時に露出する部分にカメラを備えている。換言すると、携帯電話端末は、筐体１と筐体２の合わせ面が最大の状態で、合わせ面の中となり、筐体１と筐体２の合わせ面が最小の状態で、合わせ面の外となる筐体の位置に、カメラのレンズを配置するように、カメラを内蔵している。
【００３６】
本実施の形態では、スライドを閉じた状態ではカメラを外部から覆う構造となり、筐体がレンズカバーの代わりとなる。これによりレンズカバーが不要となる。
【００３７】
実施の形態４．
本実施の形態では、カメラのレンズを備えた筐体の面、あるいはこの面と平行な別な面に、鏡または小型液晶ディスプレイを有する携帯電話端末について説明する。
【００３８】
図１１の例では、カメラのレンズを備えた筐体の面に鏡または小型液晶ディスプレイを有する。図１２の例では、カメラのレンズを備えた筐体の面と平行な別な面に鏡または小型液晶ディスプレイを有する。
【００３９】
自分撮り機能を起動した場合には、メインの液晶ディスプレイへの電力供給を停止し、あるいは低消費電力モードに切り替えることも有効である。
【００４０】
従来の携帯電話端末では、自分を被写体とする時に、自分の姿を映し出すことができないという問題点があったが、本実施の形態では、直接鏡に自らの姿を映し、あるいはカメラで撮影した姿を小型液晶ディスプレイに映し出すことにより、撮影状態を確認することができるようになり、自分撮りが容易となる。
【００４１】
実施の形態５．
スライド機構の停止位置を変化させる順番によって起動する機能を変化させることも有効である。
【００４２】
図１３の例では、停止位置が３つ（図１０のＡ、図１１のＢ、図１２のＣ）がある場合に、移動順序１（Ａ→Ｂ）、移動順序２（Ｃ→Ｂ）、移動順序３（Ａ→Ｂ→Ｃ→Ｂ）の３つの動作により、機能を変化させる。例えば、移動順序１では、通常モードで起動し、移動順序２では、ズームモードで起動し、移動順序３では、自分撮り設定で起動するように、カメラの起動する設定が違うなど起動する機能を替えることが可能となる。
【００４３】
実施の形態６．
本実施の形態では、停止位置で、音を出すように動作する。
【００４４】
図１４に、本実施の形態に係るモジュール構成を示す。停止位置検知部１０により、いずれの停止位置での停止状態を検知すると、制御部１２は、出音部１７に出音を指示する。出音部１７は、これに応じて音信号を出力し、スピーカーを鳴らす。
【００４５】
これにより、操作者は、スライド機構による停止状態への遷移を認識しやすくなる。
【図面の簡単な説明】
【００４６】
【図１】本発明に係る携帯電話端末のスライド停止位置を示す図である。
【図２】停止位置検知部の構成例を示す図である。
【図３】本発明に係るスライド状態の遷移を示す図である。
【図４】画面表示切換えに係るモジュールを示す図である。
【図５】ボタン設定切換えに係るモジュールを示す図である。
【図６】切換画面と切換ボタンの例を示す図である。
【図７】実施の形態２に係るモジュールを示す図である。
【図８】実施の形態２に係る処理フローを示す図である。
【図９】アプリケーション機能の切換え例を示す図である。
【図１０】実施の形態３に係る携帯電話端末の例を示す図である。
【図１１】実施の形態４に係る携帯電話端末の例を示す図である。
【図１２】実施の形態４に係る携帯電話端末の例を示す図である。
【図１３】実施の形態５に係る移動順序の例を示す図である。
【図１４】実施の形態６に係るモジュールを示す図である。
【図１５】従来例に係る携帯電話端末のスライド停止位置を示す図である。
【図１６】従来例に係るスライド状態の遷移を示す図である。
【符号の説明】
【００４７】
１  液晶側の筐体、２  キー側の筐体、３  大画面液晶、４  キーボタン、５  テンキー、６  スピーカー、７  レシーバ、８  カメラ、９  ホール素子（スイッチ）、１０  停止位置検知部、１１  判定部、１２  制御部、１３  画面表示部、１４  ボタン設定部、１５  ボタン入力部、１６  アプリケーション機能部、１７  出音部、１８  スピーカー。
【図１】
2005341126.tif 000003
【図２】
2005341126.tif 000004
【図３】
2005341126.tif 000005
【図４】
2005341126.tif 000006
【図５】
2005341126.tif 000007
【図６】
2005341126.tif 000008
【図７】
2005341126.tif 000009
【図８】
2005341126.tif 000010
【図９】
2005341126.tif 000011
【図１０】
2005341126.tif 000012
【図１１】
2005341126.tif 000013
【図１２】
2005341126.tif 000014
【図１３】
2005341126.tif 000015
【図１４】
2005341126.tif 000016
【図１５】
2005341126.tif 000017
【図１６】
2005341126.tif 000018